(57)【要約】【課題】事業所の規模の大小に関わりなく回収ＶＯＣを確実に処理する。【解決手段】揮発性有機化合物の回収量を示す回収事業所情報を外部に送信する回収事業所通信端末１ｃ〜３ｃと、回収揮発性有機化合物の荷受内容及び荷渡内容を示す収集車両情報を外部に送信する車両用無線通信端末４ａと、処理事業所が収集車両から受け入れた回収揮発性有機化合物の受入内容を示す処理事業所情報を外部に送信する処理事業所通信端末５ｃと、上記各端末と通信を行うことにより回収事業所情報、収集車両情報及び処理事業所情報を受信し、当該回収事業所情報、収集車両情報及び処理事業所情報に基づいて回収事業所、収集車両及び処理事業所における回収揮発性有機化合物の収集を管理する管理装置６と、上記各端末を通信自在に接続する通信回線７とを備える。【選択図】図１
2010020541.tif 000002
【特許請求の範囲】
【請求項１】
揮発性有機化合物を含む排ガスから揮発性有機化合物を分離・回収して回収揮発性有機化合物を得る回収事業所に設けられ、揮発性有機化合物の回収量を示す回収事業所情報を外部に送信する回収事業所通信端末と、
回収事業所から回収揮発性有機化合物を荷受して当該回収揮発性有機化合物の処理設備を備えた処理事業所まで輸送して荷渡する収集車両に設けられ、回収揮発性有機化合物の荷受内容及び荷渡内容を示す収集車両情報を外部に送信する車両用無線通信端末と、
処理事業所に設けられ、該処理事業所が収集車両から受け入れた回収揮発性有機化合物の受入内容を示す処理事業所情報を外部に送信する処理事業所通信端末と、
回収事業所通信端末、車両用無線通信端末及び処理事業所通信端末と通信を行うことにより回収事業所情報、収集車両情報及び処理事業所情報を受信し、当該回収事業所情報、収集車両情報及び処理事業所情報に基づいて回収事業所、収集車両及び処理事業所における回収揮発性有機化合物の収集を管理する管理装置と、
回収事業所通信端末、車両用無線通信端末及び処理事業所通信端末を通信自在に接続する通信回線と
を備えることを特徴とする回収揮発性有機化合物処理支援システム。
【請求項２】
管理装置は、回収事業所通信端末、車両用無線通信端末及び処理事業所通信端末と通信回線を介して通信することにより回収事業所から収集車両への回収揮発性有機化合物の荷渡及び収集車両から処理事業所への回収揮発性有機化合物の荷渡の整合を確認し、回収揮発性有機化合物の収集履歴情報として保存する
ことを特徴とする請求項１記載の回収揮発性有機化合物処理支援システム。
【請求項３】
管理装置は、定期収集計画に基づいて車両用無線通信端末に定期収集指示を送信することにより回収事業所からの回収揮発性有機化合物の定期収集を行わせ、回収事業所通信端末との通信に基づいて定期収集では回収事業所における回収揮発性有機化合物の発生に対応できないと判断した場合には、車両用無線通信端末に緊急収集指示を送信することを特徴とする請求項１または２記載の回収揮発性有機化合物処理支援システム。
【請求項４】
管理装置は、処理事業所通信端末との通信によって処理事業所における回収揮発性有機化合物の受入余裕が所定の条件まで低下したと判断すると、処理事業所通信端末に回収揮発性有機化合物の処理促進要請を送信することを特徴とする請求項１〜３のいずれか一項に記載の回収揮発性有機化合物処理支援システム。
【請求項５】
管理装置は、回収事業所、収集車両及び処理事業所の管理者とは独立した立場の管理者によって運用されることを特徴とする請求項１〜４のいずれか一項に記載の回収揮発性有機化合物処理支援システム。
【請求項６】
揮発性有機化合物を含む排ガスから揮発性有機化合物を分離・回収して回収揮発性有機化合物を得ると共に揮発性有機化合物の回収量を示す回収事業所情報を外部に送信する回収事業所通信端末を備えた回収事業所と、
回収事業所から回収揮発性有機化合物を荷受して当該回収揮発性有機化合物の処理設備を備えた処理事業所まで輸送して荷渡すると共に、回収揮発性有機化合物の荷受内容及び荷渡内容を示す収集車両情報を外部に送信する車両用無線通信端末を備えた収集車両と、
収集車両から受け入れた回収揮発性有機化合物の受入内容を示す処理事業所情報を外部に送信する処理事業所通信端末を備えた処理事業所と、
回収事業所通信端末、車両用無線通信端末及び処理事業所通信端末と通信を行うことにより回収事業所情報、収集車両情報及び処理事業所情報を受信し、当該回収事業所情報、収集車両情報及び処理事業所情報に基づいて回収事業所、収集車両及び処理事業所における回収揮発性有機化合物の収集を管理する管理装置と、
回収事業所通信端末、車両用無線通信端末及び処理事業所通信端末を通信自在に接続する通信回線と
を備えることを特徴とする回収揮発性有機化合物処理システム。
【請求項７】
揮発性有機化合物を含む排ガスから揮発性有機化合物を分離・回収して回収揮発性有機化合物を得る回収事業所における揮発性有機化合物の回収量、回収事業所から回収揮発性有機化合物を荷受して当該回収揮発性有機化合物の処理設備を備えた処理事業所まで輸送して荷渡する収集車両における回収揮発性有機化合物の荷受内容及び荷渡内容、及び処理事業所が収集車両から受け入れた回収揮発性有機化合物の受入内容を、回収事業所、収集車両及び処理事業所とは独立して管理される管理装置に管理情報として伝送し、
管理装置が管理情報を用いて回収事業所、収集車両及び処理事業所の間における回収揮発性有機化合物の荷受を管理する
ことを特徴とする回収揮発性有機化合物処理方法。
【請求項８】
管理装置は、管理情報に基づいて回収事業所から収集車両への回収揮発性有機化合物の荷渡及び収集車両から処理事業所への回収揮発性有機化合物の荷渡の整合を確認し、回収揮発性有機化合物の収集履歴情報として保存することを特徴とする請求項７記載の回収揮発性有機化合物処理方法。
【請求項９】
管理装置は、定期収集計画に基づいて収集車両に定期収集を指示することにより回収事業所からの回収揮発性有機化合物の定期収集を行わせ、管理情報に基づいて定期収集では回収事業所における回収揮発性有機化合物の発生に対応できないと判断した場合には、収集車両に緊急収集指示を指示することを特徴とする請求項７または８記載の回収揮発性有機化合物処理方法。
【請求項１０】
管理装置は、管理情報に基づいて処理事業所における回収揮発性有機化合物の受入余裕が所定の条件まで低下したと判断すると、処理事業所通信端末に回収揮発性有機化合物の処理促進要請を送信することを特徴とする請求項７〜９のいずれか一項に記載の回収揮発性有機化合物処理方法。
【発明の詳細な説明】
【技術分野】
【０００１】
本発明は、回収揮発性有機化合物処理支援システム、回収揮発性有機化合物処理システム及び回収揮発性有機化合物処理方法に関する。
【背景技術】
【０００２】
下記特許文献１〜４に記載されているように、トルエンやキシレン等の各種揮発性有機化合物を取り扱う事業所では、揮発性有機化合物（ＶＯＣ：Volatile Organic Compounds）を含む排ガス（ＶＯＣガス）から揮発性有機化合物を分離・回収し、この分離・回収された揮発性有機化合物をガスタービンで燃料の一部として燃焼させることによって処理している。なお、比較的小規模な事業所では、ＶＯＣガスを処理することなく大気中に放出しているのが現状である。なお、以下の説明では、上記ＶＯＣガスから分離・回収された揮発性有機化合物を回収ＶＯＣという。
【特許文献１】特開２００３−３２２３２４号公報
【特許文献２】特開２００３−３２２３２４号公報
【特許文献３】特開２００４−０３６４９２号公報
【特許文献４】特開２００４−１８４００３号公報
【発明の開示】
【発明が解決しようとする課題】
【０００３】
ところで、上記従来技術は、事業所に発電用動力源として備えられているガスタービンをＶＯＣの処理に流用するものであり、ガスタービンを備えていない事業所（つまり発電設備を備えていない事業所）やその稼働時間が極端に短い事業所等には適用することができない。また、ガスタービンが必要とする燃料の消費量と回収ＶＯＣの量との間には整合関係がないので、両者の間には過不足が発生し、回収ＶＯＣを十分に処理しきれないことも発生し得る。また、事業所の規模の大小に関わりなく、回収ＶＯＣを燃焼処理するためにガスタービン等の燃焼器を別途設置することは設備コスト及びライニングコストの面で好ましいことではない。
さらには、ＶＯＣガスを処理することなく大気中に放出することは、周囲環境の維持の観点から好ましいことではないので、法規による規制が導入される可能性がある。
【０００４】
本発明は、上述した事情に鑑みてなされたものであり、以下の点を目的とするものである。
（１）事業所の規模の大小に関わりなく回収ＶＯＣを確実に処理する。
（２）回収ＶＯＣを低コストで処理する。
（３）回収ＶＯＣの処理に関する客観性を確保する。
（４）ＣＯ２排出削減に関する客観性を確保する。
【課題を解決するための手段】
【０００５】
上記目的を達成するために、本発明では、揮発性有機化合物処理支援システムに係る第１の解決手段として、揮発性有機化合物を含む排ガスから揮発性有機化合物を分離・回収して回収揮発性有機化合物を得る回収事業所に設けられ、揮発性有機化合物の回収量を示す回収事業所情報を外部に送信する回収事業所通信端末と、回収事業所から回収揮発性有機化合物を荷受して当該回収揮発性有機化合物の処理設備を備えた処理事業所まで輸送して荷渡する収集車両に設けられ、回収揮発性有機化合物の荷受内容及び荷渡内容を示す収集車両情報を外部に送信する車両用無線通信端末と、処理事業所に設けられ、該処理事業所が収集車両から受け入れた回収揮発性有機化合物の受入内容を示す処理事業所情報を外部に送信する処理事業所通信端末と、回収事業所通信端末、車両用無線通信端末及び処理事業所通信端末と通信を行うことにより回収事業所情報、収集車両情報及び処理事業所情報を受信し、当該回収事業所情報、収集車両情報及び処理事業所情報に基づいて回収事業所、収集車両及び処理事業所における回収揮発性有機化合物の収集を管理する管理装置と、回収事業所通信端末、車両用無線通信端末及び処理事業所通信端末を通信自在に接続する通信回線とを備える、という手段を採用する。
【０００６】
揮発性有機化合物処理支援システムに係る第２の解決手段として、上記第１の解決手段において、管理装置は、回収事業所通信端末、車両用無線通信端末及び処理事業所通信端末と通信回線を介して通信することにより回収事業所から収集車両への回収揮発性有機化合物の荷渡及び収集車両から処理事業所への回収揮発性有機化合物の荷渡の整合を確認し、回収揮発性有機化合物の収集履歴情報として保存する、という手段を採用する。
【０００７】
揮発性有機化合物処理支援システムに係る第３の解決手段として、上記第１または第２の解決手段において、管理装置は、定期収集計画に基づいて車両用無線通信端末に定期収集指示を送信することにより回収事業所からの回収揮発性有機化合物の定期収集を行わせ、回収事業所通信端末との通信に基づいて定期収集では回収事業所における回収揮発性有機化合物の発生に対応できないと判断した場合には、車両用無線通信端末に緊急収集指示を送信する、という手段を採用する。
【０００８】
揮発性有機化合物処理支援システムに係る第４の解決手段として、上記第１〜第３いずれかの解決手段において、管理装置は、処理事業所通信端末との通信によって処理事業所における回収揮発性有機化合物の受入余裕が所定の条件まで低下したと判断すると、処理事業所通信端末に回収揮発性有機化合物の処理促進要請を送信する、という手段を採用する。
【０００９】
また、本発明では、揮発性有機化合物処理システムに係る第１の解決手段として、揮発性有機化合物を含む排ガスから揮発性有機化合物を分離・回収して回収揮発性有機化合物を得ると共に揮発性有機化合物の回収量を示す回収事業所情報を外部に送信する回収事業所通信端末を備えた回収事業所と、回収事業所から回収揮発性有機化合物を荷受して当該回収揮発性有機化合物の処理設備を備えた処理事業所まで輸送して荷渡すると共に、回収揮発性有機化合物の荷受内容及び荷渡内容を示す収集車両情報を外部に送信する車両用無線通信端末を備えた収集車両と、収集車両から受け入れた回収揮発性有機化合物の受入内容を示す処理事業所情報を外部に送信する処理事業所通信端末を備えた処理事業所と、回収事業所通信端末、車両用無線通信端末及び処理事業所通信端末と通信を行うことにより回収事業所情報、収集車両情報及び処理事業所情報を受信し、当該回収事業所情報、収集車両情報及び処理事業所情報に基づいて回収事業所、収集車両及び処理事業所における回収揮発性有機化合物の収集を管理する管理装置と、回収事業所通信端末、車両用無線通信端末及び処理事業所通信端末を通信自在に接続する通信回線とを備える、という手段を採用する。
【００１０】
さらに、本発明では、揮発性有機化合物処理方法に係る第１の解決手段として、揮発性有機化合物を含む排ガスから揮発性有機化合物を分離・回収して回収揮発性有機化合物を得る回収事業所における揮発性有機化合物の回収量、回収事業所から回収揮発性有機化合物を荷受して当該回収揮発性有機化合物の処理設備を備えた処理事業所まで輸送して荷渡する収集車両における回収揮発性有機化合物の荷受内容及び荷渡内容、及び処理事業所が収集車両から受け入れた回収揮発性有機化合物の受入内容を、回収事業所、収集車両及び処理事業所とは独立して管理される管理装置に管理情報として伝送し、管理装置が管理情報を用いて回収事業所、収集車両及び処理事業所の間における回収揮発性有機化合物の荷受を管理する、という手段を採用する。
【００１１】
揮発性有機化合物処理方法に係る第２の解決手段として、上記第１の解決手段において、管理装置は、管理情報に基づいて回収事業所から収集車両への回収揮発性有機化合物の荷渡及び収集車両から処理事業所への回収揮発性有機化合物の荷渡の整合を確認し、回収揮発性有機化合物の収集履歴情報として保存する、という手段を採用する。
【００１２】
揮発性有機化合物処理方法に係る第３の解決手段として、上記第１または第２の解決手段において、管理装置は、定期収集計画に基づいて収集車両に定期収集を指示することにより回収事業所からの回収揮発性有機化合物の定期収集を行わせ、管理情報に基づいて定期収集では回収事業所における回収揮発性有機化合物の発生に対応できないと判断した場合には、収集車両に緊急収集指示を送信する、という手段を採用する。
【００１３】
揮発性有機化合物処理方法に係る第４の解決手段として、上記第１〜第３いずれかの解決手段において、管理装置は、管理情報に基づいて処理事業所における回収揮発性有機化合物の受入余裕が所定の条件まで低下したと判断すると、処理事業所通信端末に回収揮発性有機化合物の処理促進要請を送信する、という手段を採用する。
【発明の効果】
【００１４】
本発明によれば、回収事業所で得られた回収揮発性有機化合物を収集車両を用いて処理事業所に収集して集中的に燃焼処理するので、回収事業所の規模の大小に関わりなく回収揮発性有機化合物を処理事業所で確実に処理することができる。
また、回収揮発性有機化合物を処理事業所で集中的に燃焼処理するので、従来のように個々の回収事業所で個別に処理する場合よりも回収揮発性有機化合物を高効率で処理することができる。
さらに、回収揮発性有機化合物の荷渡の整合を判断した後に回収揮発性有機化合物の収集履歴情報として管理情報を保存するので、回収揮発性有機化合物の荷受あるいは荷渡に関する客観性、つまり回収揮発性有機化合物の処理に関する客観性を担保することができる。
【発明を実施するための最良の形態】
【００１５】
以下、図面を参照して、本発明の一実施形態について説明する。
図１は、本実施形態に係る回収揮発性有機化合物処理支援システム（以下、単に「処理支援システム」という。）のシステム構成図である。なお、この図1では、本処理支援システムを含む回収揮発性有機化合物処理システム（以下、単に「処理システム」という。）の全体構成をも示している。
【００１６】
最初に、本処理システムの全体構成について説明する。この図に示すように、本処理システムは、第１〜第３回収事業所１〜３、収集車両４、処理事業所５及び収集管理装置６及びこれら各事業所、収集車両５及び収集管理装置６を相互接続する通信回線７によって構成されている。本処理システムを構成する各構成要素のうち通信回線７について先に説明すると、当該通信回線７は、例えばインターネットを中核とする有線及び無線からなるＴＣＰ／ＩＰ通信網であり、ＴＣＰ（Transmission Control Protocol）及びＩＰ（Internet Protocol）に準拠した通信フレームの送受信を行うように構成されている。
【００１７】
第１回収事業所１は、ＶＯＣガス発生設備１ａ、ＶＯＣ回収装置１ｂ及び回収事業所通信端末１ｃを備えている。ＶＯＣガス発生設備１ａは、トルエンやキシレン等の揮発性有機化合物（ＶＯＣ：Volatile Organic Compounds）を用いて商品の製造や対象物に何らか処理を施す設備であり、例えば塗料製造設備や塗装設備である。このようなＶＯＣガス発生設備１ａでは、揮発したＶＯＣを含む排ガス（ＶＯＣガス）が発生する。
【００１８】
ＶＯＣ回収装置１ｂは、上記ＶＯＣガスからＶＯＣを分離・回収して所定容量の貯留タンクに貯留すると共に当該貯留タンクに貯留された回収ＶＯＣを収集車両４に引き渡す装置である。このようなＶＯＣ回収装置１ｂは、上述した特許文献１に記載されているように、ＶＯＣガスに含まれるＶＯＣを活性炭等の吸着剤に吸着させ、この吸着剤に吸着されたＶＯＣを水蒸気等の脱着ガスを用いて脱着することにより回収し、当該回収したＶＯＣ（回収ＶＯＣ）を凝縮させて貯留タンクに貯留する。また、このＶＯＣ回収装置１ｂは、収集車両４が第１回収事業所１に到着すると、収集車両４の収集対象である回収ＶＯＣを収集車両４に引き渡す。この場合、回収ＶＯＣのみを収集車両４に引き渡す方法と回収ＶＯＣが貯留されている貯留タンクを収集車両４に引き渡す方法とが考えられるが、何れであっても良い。例えば貯留タンクをコンテナ式に構成することにより、回収ＶＯＣをタンクごと収集車両４に引き渡すことが可能である。
【００１９】
回収事業所通信端末１ｃは、ＶＯＣ回収装置１ｂと直接通信を行うと共に通信回線７を介して収集管理装置６とＴＣＰ／ＩＰに準拠した通信を行う通信装置である。この回収事業所通信端末１ｃは、上記ＶＯＣ回収装置１ｂにおける回収ＶＯＣの回収量を回収情報として一定の時間間隔毎に取得し、当該回収量を回収事業所情報の１つとして第１回収事業所１の識別コード（事業所識別コード）と共に収集管理装置６に順次送信する。また、この回収事業所通信端末１ｃは、収集車両４に回収ＶＯＣを荷渡する度に当該回収ＶＯＣの荷渡内容を示す荷渡情報を回収事業所情報の１つとして事業所識別コードと共に収集管理装置６に送信する。
【００２０】
第２回収事業所２は、ＶＯＣガス発生設備２ａ、ＶＯＣ回収装置２ｂ及び回収事業所通信端末２ｃを備えている。ＶＯＣガス発生設備２ａは、上述したＶＯＣガス発生設備１ａと同様に、トルエンやキシレン等のＶＯＣを用いて商品の製造や対象物に何らか処理を施す設備であり、例えば塗料製造設備や塗装設備である。このようなＶＯＣガス発生設備２ａでは、上述したと同様なＶＯＣガスが発生する。
【００２１】
ＶＯＣ回収装置２ｂは、上述したＶＯＣ回収装置１ｂと同様に、ＶＯＣガスからＶＯＣを分離・回収して所定容量の貯留タンクに貯留すると共に、当該貯留タンクに貯留された回収ＶＯＣを収集車両４に引き渡す装置である。このようなＶＯＣ回収装置２ｂは、ＶＯＣガスに含まれるＶＯＣを活性炭等の吸着剤及び脱着ガスを用いることにより吸着/脱着して回収し、回収ＶＯＣを凝縮させて貯留タンクに貯留する。また、このＶＯＣ回収装置２ｂは、収集車両４が第２回収事業所２に到着すると、収集車両４の収集対象である回収ＶＯＣを収集車両４に引き渡す。
【００２２】
回収事業所通信端末２ｃは、ＶＯＣ回収装置２ｂと直接通信を行うと共に通信回線７を介して収集管理装置６とＴＣＰ／ＩＰに準拠した通信を行う通信装置である。この回収事業所通信端末２ｃは、上記ＶＯＣ回収装置２ｂにおける回収ＶＯＣの回収量を回収情報として一定の時間間隔毎に取得し、当該回収量を回収事業所情報の１つとして第２回収事業所２の識別コード（事業所識別コード）と共に収集管理装置６に順次送信する。また、この回収事業所通信端末２ｃは、収集車両４に回収ＶＯＣを荷渡する度に、当該回収ＶＯＣの荷渡内容を示す荷渡情報を回収事業所情報の１つとして事業所識別コードと共に収集管理装置６に送信する。
【００２３】
第３回収事業所３は、ＶＯＣガス発生設備３ａ、ＶＯＣ回収装置３ｂ及び回収事業所通信端末３ｃを備えている。ＶＯＣガス発生設備３ａは、上述したＶＯＣガス発生設備１ａ，２ａと同様に、トルエンやキシレン等のＶＯＣを用いて商品の製造や対象物に何らか処理を施す設備であり、例えば塗料製造設備や塗装設備である。このようなＶＯＣガス発生設備３ａでは、上述したと同様なＶＯＣガスが発生する。
【００２４】
ＶＯＣ回収装置３ｂは、上述したＶＯＣ回収装置１ｂ，２ｂと同様に、ＶＯＣガスからＶＯＣを分離・回収して所定容量の貯留タンクに貯留すると共に、当該貯留タンクに貯留された回収ＶＯＣを収集車両４に引き渡す装置である。このようなＶＯＣ回収装置３ｂは、ＶＯＣガスに含まれるＶＯＣを活性炭等の吸着剤及び脱着ガスを用いることにより吸着/脱着して回収し、回収ＶＯＣを凝縮させて貯留タンクに貯留する。また、このＶＯＣ回収装置３ｂは、収集車両４が第３回収事業所３に到着すると、収集車両４の収集対象である回収ＶＯＣを収集車両４に引き渡す。
【００２５】
回収事業所通信端末３ｃは、ＶＯＣ回収装置３ｂと直接通信を行うと共に通信回線７を介して収集管理装置６とＴＣＰ／ＩＰに準拠した通信を行う通信装置である。この回収事業所通信端末３ｃは、上記ＶＯＣ回収装置３ｂにおける回収ＶＯＣの回収量を定期的に取得し、当該回収量を回収事業所情報の１つとして第３回収事業所３の識別コード（事業所識別コード）と共に収集管理装置６に順次送信する。また、この回収事業所通信端末３ｃは、収集車両４に回収ＶＯＣを荷渡する度に、当該回収ＶＯＣの荷渡内容を示す荷渡情報を回収事業所情報の１つとして事業所識別コードと共に収集管理装置６に送信する。
なお、図１では、３つの第１〜第３回収事業所１〜３が記載されているが、第１〜第３回収事業所１〜３の数は処理システムの規模に応じて異なる。
【００２６】
収集車両４は、所定の最大積載量を有すると共に上記回収ＶＯＣを収集・輸送対象とする可燃物輸送専用車である。このような収集車両４は、上述した第１〜第３回収事業所１〜３を定期的及び／あるいは不定期に巡回することにより第１〜第３回収事業所１〜３から回収ＶＯＣを引き取って処理事業所５に輸送する。また、この収集車両４には、車両用無線通信端末４ａ及び測位装置４ｂが設けられている。
なお、図１では、１つの収集車両４が記載されているが、収集車両４の台数は処理システムに応じて複数台設けても良い。
【００２７】
車両用無線通信端末４ａは、収集車両４と直接通信を行うと共に通信回線７を介して収集管理装置６とＴＣＰ／ＩＰに準拠した通信する無線通信装置である。この車両用無線通信端末４ａは、収集車両４が第１〜第３回収事業所１〜３の何れかから回収ＶＯＣを荷受する度に、当該回収ＶＯＣの荷受内容を示す荷受情報を収集車両情報の１つとして収集車両４の識別コード（車両識別コード）と共に収集管理装置６に送信する。また、この車両用無線通信端末４ａは、収集車両４が処理事業所５に回収ＶＯＣを荷渡する度に、当該回収ＶＯＣの荷渡内容を示す荷渡情報を収集車両情報の１つとして上記車両識別コードと共に収集管理装置６に送信する。
【００２８】
測位装置４ｂは、例えばＧＰＳ（Global Positioning System）受信機であり、複数のＧＰＳ衛星から特定の測位用電波を受信することによって収集車両４の現在位置（方位）を検出する。車両用無線通信端末４ａは、上記車両用無線通信端末４ａは、この測位装置４ｂから必要に応じて収集車両４の現在位置を取得して車両識別コードと共に収集管理装置６に送信する。
【００２９】
処理事業所５は、図示するように回収ＶＯＣ受入装置５ａ、発電設備５ｂ及び受入事業所通信端末５ｃを備えている。回収ＶＯＣ受入装置５ａは、上記収集車両４から回収ＶＯＣを受け入れる装置であり、所定容量を有する貯蔵タンクに回収ＶＯＣを貯蔵する。発電設備５ｂは、上記回収ＶＯＣ受入装置５ａに貯蔵された回収ＶＯＣを燃料としてガスタービン等の原動機を運転することにより電力を発生させる設備であり、発生した電力を所内の電力系統に供給したり、外部の商用電力系統に供給したりする。
なお、図１では、１つの処理事業所５が記載されているが、処理事業所５の数は処理システムに応じて複数設けても良い。
【００３０】
処理事業所通信端末５ｃは、回収ＶＯＣ受入装置５ａ及び発電設備５ｂと直接通信を行うと共に通信回線７を介して収集管理装置６とＴＣＰ／ＩＰに準拠した通信を行う通信装置である。この処理事業所通信端末５ｃは、回収ＶＯＣ受入装置５ａが収集車両４から回収ＶＯＣを受け入れる度に回収ＶＯＣの受入内容を示す受入情報を処理事業所情報の１つとして処理事業所５の識別コード（処理事業所識別コード）と共に収集管理装置６に送信する。また、この処理事業所通信端末５ｃは、発電設備５ｂにおける回収ＶＯＣの消費情報を発電設備５ｂから定期的に取得して処理事業所情報の１つとして処理事業所識別コードと共に収集管理装置６に送信する。
【００３１】
収集管理装置６は、各回収事業所通信端末１ｃ〜３ｃ、車両用無線通信端末４ａ及び処理事業所通信端末５ｃと通信回線７を介してＴＣＰ／ＩＰに準拠した通信を行うことにより上記回収事業所情報、収集車両情報及び処理事業所情報を受信し、これら回収事業所情報、収集車両情報及び処理事業所情報に基づいて第１〜第３回収事業所１〜３、収集車両４及び処理事業所５における回収ＶＯＣの移送を管理する管理装置である。
【００３２】
図２は、上記収集管理装置６の機能構成を示すブロック図である。この収集管理装置６は、図示するようにメモリ６ａ、操作部６ｂ、ＴＣＰ／ＩＰ通信部６ｃ、表示部６ｄ及び外部記憶部６ｅがバスライン６ｆによって演算部６ｇに共通接続されたコンピュータである。メモリ６ａは、所定の管理プログラムを記憶する不揮発性メモリと演算部６ｇの演算結果等の各種データを一時的に記憶する揮発性メモリとからなり、演算部６ｇによる制御の下で管理プログラム及び各種データの書込み／読出しを行う。操作部６ｂは、本処理支援システムを統括的に管理する管理者の操作指示を受け付けるキーボードやポインティングデバイスであり、上記操作指示を示す操作情報を演算部６ｇに出力する。
【００３３】
ＴＣＰ／ＩＰ６ｃ通信部は、演算部６ｇによる制御の下で、通信回線７を介して各回収事業所通信端末１ｃ〜３ｃ、車両用無線通信端末４ａ及び処理事業所通信端末５ｃとＴＣＰ／ＩＰに準拠した通信を行う。表示部６ｄは、演算部６ｇによる制御の下で、上記管理者に提供する管理情報を表示する。外部記憶部６ｅは、ハードディスク装置のような大容量の記憶装置であり、内部にＶＯＣ管理データベース６ｈを記憶している。この外部記憶部６ｅは、演算部６ｇによる制御の下で、ＶＯＣ管理データベース６ｈの更新及び新規登録を行う。バスライン６ｆは、所定ビット数のアドレスライン及びデータライン等からなり、メモリ６ａ、操作部６ｂ、ＴＣＰ／ＩＰ通信部６ｃ、表示部６ｄ及び外部記憶部６ｅを演算部６ｇに接続する。
【００３４】
演算部６ｇは、ＣＰＵ（Central Processing Unit）及び周辺回路からなり、上記管理プログラムに基づいてメモリ６ａ、操作部６ｂ、ＴＣＰ／ＩＰ通信部６ｃ、表示部６ｄ及び外部記憶部６ｅを制御することにより、各回収事業所通信端末１ｃ〜３ｃ、車両用無線通信端末４ａ及び処理事業所通信端末５ｃから上記回収事業所情報、収集車両情報及び処理事業所情報を取得すると共に、これら情報及びＶＯＣ管理データベース６ｈに登録されたデータに基づいて各回収事業所通信端末１ｃ〜３ｃ、車両用無線通信端末４ａ及び処理事業所通信端末５ｃに管理情報を送信することにより本処理支援システムを管理する。なお、管理プログラムに基づく演算部６ｇの管理処理については、本処理支援システムの全体動作として後述する。
【００３５】
以上、本処理システムの全体構成について説明したが、本処理システムを構成する各種構成要素のうち、各回収事業所通信端末１ｃ〜３ｃ、車両用無線通信端末４ａ、処理事業所通信端末５ｃ、収集管理装置６及び通信回線７は、本処理支援システムを構成する構成要件である。
【００３６】
次に、上記ＶＯＣ管理データベース６ｈについて、図３〜図５を参照して補足説明する。ＶＯＣ管理データベース６ｈには、収集管理装置６が第１〜第３回収事業所１〜３、収集車両４及び処理事業所５における回収ＶＯＣの移送を管理するために必要な固定的なデータに加え、時間の経過とともに変化するデータが第１〜第３回収事業所１〜３、収集車両４及び処理事業所５毎に登録されている。
【００３７】
図３は、このようなＶＯＣ管理データベース６ｈの登録データのうち、第１〜第３回収事業所１〜３に関する登録データ（回収事業所登録データ）を模式的に示す模式図である。この図に示すように、ＶＯＣ管理データベース６ｈには、（１）事業所識別コード、（２）所在位置、（３）許容貯留量Ｌｕ、（４）荷渡作業準備時間、（５）収集車両の到着所要時間、（６）裕度α、（７）最新貯留量Ｌｅ、（８）前回収集日時、（９）収集期間、等が第１〜第３回収事業所１〜３毎に登録されている。
【００３８】
また、図４は、ＶＯＣ管理データベース６ｈの登録データのうち、収集車両４に関する登録データ（収集車両登録データ）を模式的に示す模式図である。この図に示すように、ＶＯＣ管理データベース６ｈには、（１）車両識別コード、（２）最新位置、（３）最大積載量、（４）現在積載量、等が収集車両４毎に登録されている。
【００３９】
さらに、図５は、ＶＯＣ管理データベース６ｈの登録データのうち、処理事業所５に関する登録データ（処理事業所登録データ）を模式的に示す模式図である。この図に示すように、ＶＯＣ管理データベース６ｈには、（１）事業所識別コード、（２）所在位置、（３）受入許容貯留量Ｌｉ、（４）裕度β、（５）最新貯留量Ｌｎ、等が処理事業所５毎に登録されている。
【００４０】
引き続いて、このように構成された本処理支援システム及び本処理システムの動作を図６に示すフローチャートに沿って説明する。なお、このフローチャートは、管理プログラムに基づく演算部６ｇの管理処理（つまり、収集管理装置６の管理処理）の手順を示すものである。
【００４１】
最初に、演算部６ｇは、定期収集指示の送信を行う（ステップＳ1）。すなわち、演算部６ｇは、ＶＯＣ管理データベース６ｈの各種登録データを参照することにより第１〜第３回収事業所１〜３毎に定期収集計画を作成し、この定期収集計画を示す定期収集計画テーブルを外部記憶部６ｅに記憶させる。この定期収集計画テーブルは、収集日時と回収ＶＯＣの収集量とを第１〜第３回収事業所１〜３毎に示すものである。そして、演算部６ｇは、定期収集計画テーブルを外部記憶部６ｅから読み出してＴＣＰ／ＩＰ通信部６ｃに提供することにより収集車両４の車両用無線通信端末４ａに定期収集指示を送信させる。
【００４２】
上記定期収集計画は、ＶＯＣ管理データベース６ｈの各種登録データに基づいて作成されたものなので、通常の場合は、収集車両４が定期収集計画テーブルに基づいて第１〜第３回収事業所１〜３から回収ＶＯＣを回収することにより、第１〜第３回収事業所１〜３は、各ＶＯＣ回収装置１ｂ〜３ｂの貯留タンクがオーバーフローすることなく操業を継続することができる。
【００４３】
一方、収集車両４は、車両用無線通信端末４ａが受信した定期収集計画テーブルに記載された収集日時に同じく定期収集計画テーブルに記載された収集量のＶＯＣを第１〜第３回収事業所１〜３の各ＶＯＣ回収装置１ｂ〜３ｂから荷受して処理事業所５に輸送し、当該処理事業所５のＶＯＣ受入設備５ａに荷渡する。
【００４４】
そして、このような収集車両４による回収ＶＯＣの収集作業において、回収ＶＯＣの荷渡しの際に、収集車両４の車両用無線通信端末４ａ、第１〜第３回収事業所１〜３の回収事業所通信端末１ｃ〜３ｃ及び処理事業所５の処理事業所通信端末５ｃは、荷渡あるいは荷受の内容を示す荷渡情報あるいは荷受情報を収集管理装置６に送信する。
【００４５】
上述したように第１〜第３回収事業所１〜３の回収事業所通信端末１ｃ〜３ｃは、回収ＶＯＣの回収量を定期的に取得して回収事業所情報として収集管理装置６に送信する、また処理事業所通信端末５ｃは、発電設備５ｂにおける回収ＶＯＣの消費情報を発電設備５ｂから定期的に取得して処理事業所情報として収集管理装置６に送信するので、収集管理装置６は、荷渡情報、荷受情報、回収事業所情報あるいは処理事業所情報等が回収事業所通信端末１ｃ〜３ｃ、車両用無線通信端末４ａあるいは処理事業所通信端末５ｃから適宜受信する。
【００４６】
演算部６ｇは、このような各種の受信情報のうち、Ａ：荷渡情報あるいは荷受情報を受信したか、または、Ｂ：回収事業所情報あるいは処理事業所情報を受信したかを判断し（ステップＳ2）、Ａの場合はステップＳ3〜Ｓ5の処理を行い、Ｂの場合にはステップＳ6〜Ｓ10の処理を行う。
【００４７】
例えば、第１回収事業所１が収集車両４に回収ＶＯＣの荷渡した場合（つまり、収集車両４が第１回収事業所１から回収ＶＯＣを荷受した場合）、回収事業所通信端末１ｃは、回収ＶＯＣの荷渡量と自らの事業所識別コードとを含む荷渡情報を収集管理装置６に送信する。この一方、車両用無線通信端末４ａは、回収ＶＯＣの荷受量、収集車両４の現在位置及び自らの車両識別コードとを含む荷受情報を収集管理装置６に送信する。
【００４８】
一方、収集車両４が処理事業所５に回収ＶＯＣを荷渡した場合（つまり、処理事業所５が収集車両４から回収ＶＯＣを荷受した場合）、車両用無線通信端末４ａは、回収ＶＯＣの荷渡量、収集車両４の現在位置及び自らの車両識別コードとを含む荷渡情報を収集管理装置６に送信する。この一方、処理事業所通信端末５ｃは、回収ＶＯＣの荷受量と自らの事業所識別コードとを含む荷受情報を収集管理装置６に送信する。
【００４９】
すなわち、本処理支援システムでは、収集車両４における回収ＶＯＣの荷渡／荷受が発生した場合に、荷渡／荷受の両当事者である第１〜第３回収事業所１〜３及び収集車両４、あるいは処理事業所５及び収集車両４から荷渡情報及び荷受情報が収集管理装置６に送信される。演算部６ｇは、ＴＣＰ／ＩＰ通信部６ｃが荷渡情報及び荷受情報を受信すると、両者が整合しているか否かを判断し（ステップＳ3）、この判断が「Ｙｅｓ」の場合は、対をなす荷渡情報及び荷受情報として収集履歴テーブルに書き込み（ステップＳ4）、上記判断が「Ｎｏ」の場合には、荷渡情報及び荷受情報の再送信指示をＴＣＰ／ＩＰ通信部６ｃに送信させる（ステップＳ5）。
【００５０】
上記ステップＳ3の処理において、演算部６ｇは、収集車両４の荷渡情報に含まれる現在位置をＶＯＣ管理データベース６に回収事業所登録データとして予め登録された第１〜第３回収事業所１〜３の所在位置（所在方位）あるいは処理事業所登録データとして予め登録された処理事業所５の所在位置（所在方位）と比較照合することによって両当事者を確認する。例えば収集車両４が第１回収事業所１で回収ＶＯＣを荷受した場合、収集車両４の現在位置は第１回収事業所１の所在位置を一致することになる。また、演算部６ｇは、荷渡情報に含まれる荷渡量と荷受情報に含まれる荷受量とを照合することによって回収ＶＯＣの荷渡量と荷受量との整合を確認する。
【００５１】
このように荷渡情報及び荷受情報の整合を判断した後に当該荷渡情報及び荷受情報を収集履歴テーブルに登録することにより、回収ＶＯＣの荷受／荷渡に関する客観性を担保することができる。すなわち、収集車両４によって第１〜第３回収事業所１〜３から収集された回収ＶＯＣが処理事業所５に確実に受け入れられて燃焼処理されたことの客観性を確保することができる。収集管理装置６の管理者は、第１〜第３回収事業所１〜３、収集車両４及び処理事業所５の管理者とは独立した立場にあるので、第１〜第３回収事業所１〜３で発生した回収ＶＯＣが処理事業所５で燃焼処理されたことを客観的な立場で保証することができる。
【００５２】
一方、上記ステップＳ2において回収事業所情報あるいは処理事業所情報を受信したと判断された場合（場合Ｂ）、演算部６ｇは、回収事業所情報あるいは処理事業所情報に基づいてＶＯＣ管理データベース６ｈの回収事業所登録データ及び処理事業所登録データを更新する（ステップＳ6）。
【００５３】
すなわち、ＴＣＰ／ＩＰ通信部６ｃは、何れかの回収事業所通信端末１ｃ〜３ｃから回収事業所情報を受信すると、当該受信をバスライン６ｆを介して演算部６ｇに通知する。演算部６ｇは、この通知がＴＣＰ／ＩＰ通信部６ｃから入力されると、ＴＣＰ／ＩＰ通信部６ｃから回収事業所情報を取り込み、ＶＯＣ管理データベース６ｈの回収事業所登録データに相当するデータを回収事業所情報から抽出して外部記憶部６ｅに出力することにより、図３に示したＶＯＣ管理データベース６ｈの回収事業所登録データを更新させる。
【００５４】
また、ＴＣＰ／ＩＰ通信部６ｃは、処理事業所通信端末５ｃから処理事業所情報を受信すると、当該受信をバスライン６ｆを介して演算部６ｇに通知する。演算部６ｇは、この通知がＴＣＰ／ＩＰ通信部６ｃから入力されると、ＴＣＰ／ＩＰ通信部６ｃから処理事業所情報を取り込み、ＶＯＣ管理データベース６ｈの処理事業所登録データに相当するデータを処理事業所情報から抽出して外部記憶部６ｅに出力することにより、図５に示したＶＯＣ管理データベース６ｈの処理事業所登録データを更新させる。
【００５５】
このようにしてＴＣＰ／ＩＰ通信部６ｃが定期的に受信する回収事業所情報及び処理事業所情報に基づいてＶＯＣ管理データベース６ｈの回収事業所登録データ及び処理事業所登録データが定期的に更新されるので、演算部６ｇは、ＶＯＣ管理データベース６ｈを参照することにより各回収事業所通信端末１ｃ〜３ｃ及び処理事業所５の最新状況を常に把握することが可能となる。
【００５６】
そして、演算部６ｇは、回収事業所情報に基づくＶＯＣ管理データベース６ｈの更新が完了すると、回収事業所登録データに基づいて収集車両４に緊急収集作業に指示する必要があるか否かを判断する（ステップＳ7）。すなわち、演算部６ｇは、回収事業所情報を取得する度に、回収事業所登録データが下式（１）で示される評価式を満足するか否かを判断し、この判断が「Ｎｏ」の場合には、収集車両４に緊急収集を指示する（ステップＳ8）。
Ｌｕ・α＜Ｌｅ                      （１）
【００５７】
上記評価式（１）は、第１〜第３回収事業所１〜３の各ＶＯＣ回収装置１ｂ〜３ｂについて、次回の定期収集までに貯留タンクがオーバーフローするか否かを裕度αをも加味して示すものである。演算部６ｇは、例えば第１回収事業所１の回収事業所情報に基づいて第１回収事業所１が上記評価式を満足する状態にあると判断した場合は、第１回収事業所１について定期収集計画に基づく回収ＶＯＣの収集を続行させるが、評価式を満足する状態にないと判断した場合には、収集車両４の車両用無線通信端末４ａに対する緊急収集指令の送信をＴＣＰ／ＩＰ通信部６ｃに行わせる。
【００５８】
また、演算部６ｇは、上記ステップＳ7の判断が「Ｎｏ」の場合には、処理事業所５に対して回収ＶＯＣの処理促進を依頼する必要があるか否かを判断する（ステップＳ9）。すなわち、演算部６ｇは、処理事業所情報を取得する度に、処理事業所登録データが下記評価式（２）を満足するか否かを判断し、この判断が「Ｎｏ」の場合は、処理事業所５に対して回収ＶＯＣの処理促進を依頼する。
Ｌｉ・β＜Ｌｎ                      （２）
【００５９】
上記評価式（２）は、処理事業所５のＶＯＣ受入設備５ａについて、次回の定期収集までに貯蔵タンクがオーバーフローするか否かを裕度βをも加味して示すものである。演算部６ｇは、処理事業所５が評価式（２）を満足する状態にないと判断した場合には、発電設備５ｂの発電量を増加させて燃料である回収ＶＯＣを通常よりも多く消費することを処理事業所５に指示する処理促進指示の送信をＴＣＰ／ＩＰ通信部６ｃに行わせる（ステップＳ10）。
【００６０】
このような本実施形態によれば、第１〜第３回収事業所１〜３でＶＯＣガスから回収された回収ＶＯＣを収集車両４を用いて処理事業所５に収集して集中的に燃焼処理するので、第１〜第３回収事業所１〜３の規模の大小に関わりなく回収ＶＯＣを処理事業所５で確実に処理することができる。
また、回収ＶＯＣを処理事業所５で集中的に燃焼処理するので、従来のように個々の回収事業所で個別に処理する場合よりも回収ＶＯＣを低コストで処理することがかできる。
さらには、荷渡情報及び荷受情報の整合を判断した後に当該荷渡情報及び荷受情報を収集履歴テーブルに登録するので、回収ＶＯＣの荷受／荷渡に関する客観性、つまり回収ＶＯＣの処理に関する客観性を担保することができる。
【００６１】
なお、本発明は、上記実施形態に限定されるものではなく、例えば以下のような変形例が考えられる。
（１）上記実施形態では、第１〜第３回収事業所１〜３、収集車両４あるいは処理事業所５から受信した荷渡情報及び荷受情報の整合を収集管理装置６で判断した後で荷渡情報及び荷受情報を収集履歴テーブルに登録することにより回収ＶＯＣの荷受／荷渡に関する客観性を担保するが、回収ＶＯＣの荷受／荷渡に関する客観性を担保する手法は、これ以外にも種々の方法が考えられるので、上記実施形態の手法に限定されない。
【００６２】
（２）上記実施形態では、収集管理装置６を第１〜第３回収事業所１〜３、収集車両４及び処理事業所５に属さない装置、つまり立場的に第１〜第３回収事業所１〜３、収集車両４及び処理事業所５とは独立した立場の管理者が管理するようにしたが、収集管理装置６の機能を処理事業所５に属する機能として設けても良い。
【図面の簡単な説明】
【００６３】
【図１】本発明の一実施形態に係わる揮発性有機化合物処理支援システムのシステム構成図である。
【図２】本発明の一実施形態における収集管理装置６の機能構成を示すブロック図である。
【図３】本発明の一実施形態におけるＶＯＣ管理データベース６ｈの登録データを示す第１の模式図である。
【図４】本発明の一実施形態におけるＶＯＣ管理データベース６ｈの登録データを示す第２の模式図である。
【図５】本発明の一実施形態におけるＶＯＣ管理データベース６ｈの登録データを示す第３の模式図である。
【図６】本発明の一実施形態に係わる揮発性有機化合物処理支援システムの動作を示すフローチャートである。
【符号の説明】
【００６４】
１…第１回収事業所、１ａ…ＶＯＣガス発生設備、１ｂ…ＶＯＣ回収装置、１ｃ…回収事業所通信端末、２…第２回収事業所、２ａ…ＶＯＣガス発生設備、２ｂ…ＶＯＣ回収装置、２ｃ…回収事業所通信端末、３…第３回収事業所、３ａ…ＶＯＣガス発生設備、３ｂ…ＶＯＣ回収装置、３ｃ…回収事業所通信端末、４…収集車両、４ａ…車両用無線通信端末、４ｂ…測位装置、５…処理事業所、５ａ…回収ＶＯＣ受入装置、５ｂ…発電設備、５ｃ…処理事業所通信端末、６…収集管理装置、６ａ…メモリ、６ｂ…操作部、６ｃ…ＴＣＰ／ＩＰ通信部、６ｄ…表示部、６ｅ…外部記憶部、６ｆ…バスライン、６ｇ…演算部、６ｈ…ＶＯＣ管理データベース、７…通信回線
【図１】
2010020541.tif 000003
【図２】
2010020541.tif 000004
【図３】
2010020541.tif 000005
【図４】
2010020541.tif 000006
【図５】
2010020541.tif 000007
【図６】
2010020541.tif 000008